(57)【特許請求の範囲】
【請求項１】
透液性表面シートと、不透液性裏面シートと、これら両シート間に介在する吸液性芯材とによって体液吸収性パッドが形成され、前記パッドが前方に位置する前胴周り部と、後方に位置する後胴周り部と、これら前後の中間に位置する股下部とを有し、前記各部のうちの少なくとも前胴周り部と後胴周り部とが身体に対する着用手段と一体をなしている使い捨ての体液吸収性着用物品において、
前記パッドの股下部両側には、前記表面シートの前記芯材側に位置する下面どうしが合掌状に重なり合って接合することにより形成され、前記パッドの幅を二等分する中心線へ向かって凸となる弧を画いて対向する一対のダーツがとられており、前記パッドの幅方向において前記一対のダーツ間と、ダーツそれぞれの外側部位とには前記芯材を構成する内側芯部材と外側芯部材とが配置されており、前記芯材の外周は前記表面シートと裏面シートとにつながって前記芯材の外方へ延びるフラップ部分によって囲まれ、前記フラップ部分のうちで前記芯材の両側縁から外方へ延びる側縁部フラップが前記パッドの内面へ向かって折り返されて前記前方と後方とに位置する両端縁部が前記内面に接合することにより、前記側縁部フラップと前記外側芯分材との間に前記パッドの内方へ開口するポケットが形成され、折り返された前記側縁部フラップの内側縁部には前記中心線に平行な弾性部材が伸長状態で取り付けられていることを特徴とする前記着用物品。
【請求項２】
前記ダーツでは、前記表面シートの下面どうし間に前記裏面シートが介在して該裏面シートどうしが接合し、前記表面シートどうしが前記裏面シートを介して接合している請求項１記載の着用物品。
【請求項３】
折り返されている前記側縁部フラップの内側縁部が前記中心線に向かって弧を画いているダーツの頂部近傍に位置している請求項１または２に記載の着用物品。
【請求項４】
折り返されている前記側縁部フラップは、前記前後両端縁部間における中央部位の一部分が前記ダーツの外側部位の内面に接合している請求項１〜３のいずれかに記載の着用物品。
【請求項５】
前記着用手段がパンツ型のものである請求項１記載の着用物品。
【発明の詳細な説明】
【０００１】
【発明の属する技術分野】
この発明は、使い捨ておむつを一例とする使い捨ての体液吸収性着用物品に関する。
【０００２】
【従来の技術】
特開平７−１１２００３号公報に開示の使い捨て吸収性パッドは、パッド本体と弾性ウエストバンドとを有する。この吸収性パッドは透液性トップシートと、不透液性バックシートと、これら両シート間に介在する吸液性コアとからなり、コアの長さ方向両端部から延出するエンドフラップの先端部が弾性ウエストバンドに連結されている。吸収性パッドには、その幅方向へ延出し、長さ方向への伸縮性を有するサイドフラップが形成され、このサイドフラップの長さ方向の少なくとも一部分が吸収性パッドの内側へ折り返されている。かかる吸収性パッドは、弾性ウエストバンドを腰に当てて着用すると、パッド本体が脚のつけ根の内側において肌に密着する。
【０００３】
特開平７−１５５３４４号公報に開示の使い捨てパンツは、伸縮性のパンツ部材とパッド部材とからなる。パッド部材は透液性トップシートと、不透液性バックシートと、これら両シート間に介在する吸液性コアとを有し、コアの長手方向両端と幅方向両側縁とからはエンドフラップとサイドフラップとが延びている。エンドフラップの先端部はパンツ部材のウエスト近傍に固定されている。サイドフラップは、長手方向への伸縮性を有するもので、パッド部材の内方へ向かって開口するポケットを形成している。かかる使い捨てパンツは、パンツ部材を着用すると、パッド部材が足のつけ根の内側において肌に密着する。
【０００４】
【発明が解決しようとする課題】
前記特開平７−１１２００３号公報や同平７−１５５３４４号公報に開示された類のパッド本体やパッド部材等の体液吸収性パッドは、脚のつけ根の内側で肌によく密着することが意図されていて股下域での幅が狭く、その幅をあまり広くすることができない。そのようなパッドでは、パッド股下域での体液吸収可能な表面積や容積を大きくすることができず、体液を速やかに吸収することが難しいという場合がある。
【０００５】
この発明は、体液吸収性パッドの股下域における幅を狭くしても体液の速やかな吸収が可能な使い捨ての体液吸収性着用物品の提供を課題にしている。
【０００６】
【課題を解決するための手段】
前記課題解決のためにこの発明が対象とするのは、透液性表面シートと、不透液性裏面シートと、これら両シート間に介在する吸液性芯材とによって体液吸収性パッドが形成され、前記パッドが前方に位置する前胴周り部と、後方に位置する後胴周り部と、これら前後の中間に位置する股下部とを有し、前記各部のうちの少なくとも前胴周り部と後胴周り部とが身体に対する着用手段と一体をなしている使い捨ての体液吸収性着用物品である。
【０００７】
かかる着用物品において、この発明が特徴とするところは、次のとおりである。前記パッドの股下部両側には、前記表面シートの前記芯材側に位置する下面どうしが合掌状に重なり合って接合することにより形成され、前記パッドの幅を二等分する中心線へ向かって凸となる弧を画いて対向する一対のダーツがとられている。前記パッドの幅方向において前記一対のダーツ間と、ダーツそれぞれの外側部位とには前記芯材を構成する内側芯部材と外側芯部材とが配置されている。前記芯材の外周は前記表面シートと裏面シートとにつながって前記芯材の外方へ延びるフラップ部分によって囲まれれいる。前記フラップ部分のうちで前記芯材の両側縁から外方へ延びる側縁部フラップが前記パッドの内面へ向かって折り返されて前記前方と後方とに位置する両端縁部が前記内面に接合することにより、前記側縁部フラップと前記外側芯部材との間に前記パッドの内方へ開口するポケットが形成され、折り返された前記側縁部フラップの内側縁部には前記中心線に平行な弾性部材が伸長状態で取り付けられている。
【０００８】
【発明の実施の形態】
この発明に係る使い捨ての体液吸収性着用物品として使い捨ておむつを例にとり、添付の図面を参照してその詳細を説明すると、以下のとおりである。
【０００９】
図１に部分破断斜視図で示された使い捨ておむつ１は、パンツ型のカバー２と、カバー２の内側に取り付けられた体液吸収性のパッド３とを有する。カバー２は、前胴周り域６と後胴周り域７と股下域８とを有し、前後胴周り域６，７の側縁部どうしが溶着部９で接合することによって胴周り開口１１と一対の脚周り開口１２とを形成している。カバー２は、不透液性のプラスチックフィルム１３と不織布１４とが積層されたシートからなり、胴周り開口１１と脚周り開口１２との周縁部の周り方向には弾性部材１６，１７が延び、これら弾性部材１６，１７がフィルム１３と不織布１４との少なくとも一方の内面に伸長状態で接合している。パッド３は、カバー２の内面に沿って股下域８を中心に前胴周り域６と後胴周り域７とにおける開口縁部１８，１９にまで延びている。
【００１０】
図２は、図１においてカバー２の溶着部９を剥がし、おむつ１を矢印２１，２２方向へ伸展したときのおむつ１の部分破断平面図である。カバー２は、砂時計型を呈し、股下域８の両側縁部は内方へ向かって凸となるように湾曲している。カバー２の開口縁部１８，１９間に延びるパッド３は、カバー２の幅を二等分する中心線２３上に位置している。
【００１１】
パッド３は、おむつ１着用者の肌側に位置する透液性の表面シート３１と、カバー２側に位置する不透液性の裏面シート３２と、これら両シート３１，３２間に介在する吸液性芯材３３とからなり、前後胴周り域４６，４７と股下域４８とを有する。開口縁部１８、１９間におけるこれら各域４６〜４８の寸法は、カバー２の各域６〜８のそれにほぼ一致している。表裏面シート３１，３２は、芯材３３の周縁部から外へ延出して互いに水密に接合することにより芯材３３の外周を囲む前後の端縁部フラップ３６，３７と、両側縁部フラップ３５とを形成している。前後の端縁部フラップ３６，３７はカバー２の開口縁部１８，１９の内面に接着剤５５（図３参照）によって接合し、側縁部フラップ３５は、パッド３の内面へ向かって折り返されている。その側縁部フラップ３５の前後両端部分３９，４０は、ホットメルト接着剤４１を介して、パッド３の内面に接合し、両端部分３９と４０との間の部分はパッド３内面に対して非接合状態にある。側縁部フラップ３５の内側縁部４５は、中心線２３に平行する袋を形成するように折り重ねられており、その袋の内面には中心線２３に平行な弾性部材４２が伸長状態で接合している。パッド３における股下域４８の両側には、中心線２３を挟んで対向する一対のダーツ４９がとられている。ダーツ４９は、中心線２３に向かって凸となる弧を画いている。
【００１２】
図３は、図２の中心線２３に沿う切断面を示す。カバー２では、フィルム１３と不織布１４とが接着または溶着（いずれも図示せず）によって間欠的に接合している。パッド３では、表面シート３１と裏面シート３２とが芯材３３の端縁部から延出して端縁部フラップ部分３６，３７を形成している。パッド３の前後端縁部フラップ３６，３７は、接着剤５５を介してカバー２に接合している他に、中心線２３上の部位やその他適宜の部位が接着剤５１を介してカバー２に接合している。
【００１３】
図４〜６は、図２のＩＶ−ＩＶ線、Ｖ−Ｖ線およびＶＩ−ＶＩ線に沿った切断面を示す。Ｖ−Ｖ線は、パッド３の上下方向の寸法を二等分する中心線に一致している。図４において、パッド３の表裏面シート３１，３２は芯材３３から延出して重なり合い、互いに接合している。裏面シート３２は、表面シート３１よりもさらに長く延出して側縁部フラップ３５の大部分を形成している。かかる側縁部フラップ３５は、芯材３３を覆うようにパッド３の内方へ折り返され、その内方へ向かって開くことが可能な開口５３を有するポケット５４を形成している。
【００１４】
図５において、パッド３に形成されたダーツ４９では、芯材３３のうちでダーツ４９と４９との間には位置された内側芯部材５８を覆っている表裏面シート３１，３２とダーツ４９の外側部位に配置された外側芯部材５９を覆っている表裏面シート３１，３２とが表面シート３１の下面５６どうしを対向させるとともに、裏面シート３２の下面５７どうしを対向させるように合掌状に重なり合い、溶着または接着によって接合している。芯材３３を構成する内側芯部材５８と外側芯部材５９とは、ダーツ４９によってパッド３の幅方向で切り離された状態にある(図２参照)。外側芯部材５９を覆う表面シート３１と裏面シート３２とは、芯材３３の側縁の一部分を構成している外側芯部材５９の側縁から外へ延びて互いに接合し、裏面シート３２はさらに長く延びて側縁部フラップ３５の大部分を形成している。かかるパッド３の股下域４８では、内側芯部材５８が図示の如くほぼ水平であるときに、外側芯部材５９を含むパッド３の側縁部分６０は、合掌状に作られてヒンジのように作用するダーツ４９を基端にして内側芯部材５８から斜め下方へ垂れ下がる傾向を示す。このときの側縁部フラップ３５は、外側芯部材５９の縁の近傍で折り返されて斜め上方へ延び、ポケット５４もまた斜め上方へ向かって延びている。このように作用するダーツ４９は、パッド３の股下域４８において、表裏面シート３１，３２の側部を中心線２３方向へ図２のように弧を画くように引き寄せ、その弧の部分で表裏面シート３１，３２を接合することによって得ることができる。弧を画くダーツ４９は、中心線２３寄りに頂部５０を有する。その頂部５０近傍の上方には側縁部フラップ３５の内側縁部４５を位置させて、側縁部フラップ３５と外側芯部材５９との間にポケット５４を形成することが好ましい。パッド３では、ダーツ４９が形成されることによって、図２に現われる側縁部フラップ３５の折り返し線７２がパッド３の内方へ向かって凸となる弧を画いている。
【００１５】
図６において、側縁部フラップ３５は、図４のそれと同様にポケット５４を形成している。ただし、パッド３の前胴周り域４６では、芯材３３の幅が後胴周り域４７のそれよりも狭く、芯材３３はポケット５４の奥にまでは延びていない。前胴周り域４６では、後胴周り域４７と同様に芯材３３の幅を広くすることも可能であるが、図２に示されるように芯材３３の幅を狭くして、前胴周り域４６の芯材３３による嵩張りを低く抑えることができる。
【００１６】
図７は、着用したおむつ１において、パッド３の股下域４８が着用者の肌に当接する状態を示す模式図である。仮想線で示された着用者の脚６１のつけ根とつけ根との間の部位６２に対しては、おむつ１のダーツ４９と４９との間に位置する内側芯部材５８が当接する。ダーツ４９は脚６１のつけ根に向かって延び、図５に示されるようにそのダーツ４９がヒンジのように機能して外側芯部材５９を含むパッド３の側縁部分６０が脚６１の内側に沿って下方へ垂れ下がるように延びている。側縁部フラップ３５は、着用したおむつ１が着用者の身体に沿って股下域８を中心に前後胴周り域６，７方向へＵ字形に湾曲すると、弾性部材４２が収縮してパッド３の表面から上方へ起立するように動き、側縁部フラップ３５の内側縁部４５が脚６１のつけ根の近傍に下方から当接している。側縁部フラップ３５と外側芯部材５９との間には、開口５３を有するポケット５４が形成されている。かかる状態のおむつ１では、内側芯部材５８が脚６１のつけ根とつけ根との間に多くのしわを生じることなく納まるように幅が狭く作られていて内側芯部材５８だけでは体液を速やかに吸収することができない場合でも、その体液は、矢印６３で示される側方へ流れてポケット５４に流入すれば、おむつ１から漏れることがないばかりでなく、外側芯部材５９によって吸収されるから、内側芯部材５８の吸収能力がそれによって補われる。
【００１７】
図８は実施態様の一例を示す図７と同様の図面であるが、おむつ１はその一部分のみが示されている。このおむつ１では、パッド３の縦方向の寸法を二等分する中心線Ｖ−Ｖの近傍において側縁部フラップ３５の内面の部位６４が接着剤６６を介して外側芯部材５９を覆う表面シート３１に接合し、フラップ３５は部位６４の上方で直立に近い状態にある。側縁部フラップ３５は、それが図７の状態にあると、おむつ１の着用状態によっては弾性部材４２よりも下方の部分がたるんでポケット５４の内容積を実質的に小さくするように作用し、ポケット５４への体液の流入を妨げることがあるが、図８のように側縁部フラップ３５が弾性部材４２と部位６４との間で直立に近い状態にあると、そのように妨げることがない。
【００１８】
この発明において、パッド３を着用者の身体に対して保持するための手段は、図示例のパンツ型のカバー２に限らない。その手段として、例えば着用者の胴周りに掛け回すベルトをを使用し、パッド３の前後端部３６，３７をそのベルトに取り付けてもよい。カバー２がパンツ型の場合には、パンツの全体が透液性シートで形成されていてもよいし、不透液性シートで形成されていてもよい。図示例のパッド３の側縁部フラップ３５は、基端部７１(図４参照)のみが表裏面シート３１，３２によって形成され、残余の部分が裏面シート３２のみで形成されているが、フラップ３５は、表裏面シート３１，３２のいずれかにこれらとは別体のシートを接合し、その別体シートによって形成されていてもよい。これらの側縁部フラップ３５は、不透液性であることが好ましい。
【００１９】
【発明の効果】
この発明に係る使い捨ての体液吸収性着用物品は、体液吸収性パッドの両側に形成されたダーツの外側部位でパッドの一部分が着用者の脚に沿うように垂れ下がり、その一部分と側縁部フラップとがパッドの内方へ向かって開口するポケットを形成している。それゆえ、この着用物品では、脚のつけ根とつけ根との間で多くのしわを作ることなく肌によく密着するようにパッドの幅が狭く作られていても、体液を漏らすことなく速やかに吸収することができる。
【図面の簡単な説明】
【図１】  着用物品の部分破断斜視図。
【図２】  伸展した状態にある着用物品の部分破断平面図。
【図３】  図２の中心線に沿った切断面を示す図。
【図４】  図２のＩＶ−ＩＶ線切断面を示す図。
【図５】  図２のＶ−Ｖ線切断面を示す図。
【図６】  図２のＶＩ−ＶＩ線切断面を示す図。
【図７】  着用状態にある着用物品の切断面を示す図。
【図８】  実施態様の一例を示す図７と同様の図。
【符号の説明】
１      使い捨て着用物品（使い捨ておむつ）
２      着用手段（カバー）
３      パッド
２３      中心線
３１      表面シート
３２      裏面シート
３３      芯材
３５      側縁部フラップ
３９      端縁部
４０      端縁部
４１      内側縁部
４２      弾性部材
４５      内側縁部
４６      前胴周り部
４７      後胴周り部
４８      股下部
４９      ダーツ
５０      頂部
５４      ポケット
５６      下面
５８      内側芯部材
５９      外側芯部材
【図１】
0003683811.tif 000002
【図２】
0003683811.tif 000003
【図３】
0003683811.tif 000004
【図４】
0003683811.tif 000005
【図５】
0003683811.tif 000006
【図６】
0003683811.tif 000007
【図７】
0003683811.tif 000008
【図８】
0003683811.tif 000009